(57)【要約】【課題】鉛を含まないガラスからなるステムを有してなり、パルス電圧の低下が抑制されて放電ランプを始動させることのできるグロースタータおよびこのグロースタータが配設された照明器具を提供する。【解決手段】グロースタータ１は、放電容器２内に収納され少なくとも一方が熱応動性の可動電極４であってグロー放電に伴う発生熱により変位して接離する一対の電極３，４と、一対の電極３，４にそれぞれ接続されているリード線５ａ，５ｂと、鉛を含まないガラスからなり、一対のリード線５ａ，５ｂを相互に少なくとも３．０ｍｍ離間させて封着して放電容器２の一端部２ｅに封着されたステム６とを具備する。【選択図】図１
2006260911.tif 000002
【特許請求の範囲】
【請求項１】
放電容器と；
この放電容器内に収納され少なくとも一方が熱応動性の可動電極であってグロー放電に伴う発生熱により変位して接離する一対の電極と；
一対の電極にそれぞれ接続されているリード線と；
鉛を含まないガラスからなり、一対のリード線を相互に少なくとも３．０ｍｍ離間させて封着して放電容器の一端部に封着されたステムと；
放電容器内に封入された放電媒体と；
を具備していることを特徴とするグロースタータ。
【請求項２】
放電容器と；
この放電容器内に収納され少なくとも一方が熱応動性の可動電極であってグロー放電に伴う発生熱により変位して接離する一対の電極と；
一対の電極にそれぞれ接続されているリード線と；
２５０℃における体積抵抗率が１×１０９．０Ωｃｍ未満の鉛を含まないガラスからなり、一対のリード線を相互に少なくとも３．０ｍｍ離間させて封着して放電容器の一端部に封着されたステムと；
放電容器内に封入された放電媒体と；
を具備していることを特徴とするグロースタータ。
【請求項３】
前記放電容器は、一端部が閉塞され、他端部に前記リード線に接続される給電端子を有する筒状の外囲器の内部に収納されていることを特徴とする請求項１または２記載のグロースタータ。
【請求項４】
請求項３記載のグロースタータと；
グロースタータが配設されている照明器具本体と；
照明器具本体に着脱可能に配設されている蛍光ランプと；
照明器具本体に配設され、グロースタータの一対の電極の接離に応じてインダクタンス成分によりキック電圧を発生させて蛍光ランプを始動させるとともに蛍光ランプに供給する電流を制限する安定器を有する点灯装置と；
を具備していることを特徴とする照明器具。
【発明の詳細な説明】
【技術分野】
【０００１】
本発明は、蛍光ランプなどの放電ランプを始動させるグロースタータおよびこれを配設した照明器具に関する。
【背景技術】
【０００２】
近年、環境保護の観点から、ランプに使用されるステム用ガラスやバルブ用ガラスに鉛を含まないガラスが使用されてきている。そして、グロースタータにおいても、放電容器が鉛を含まないガラスから形成されたものが提案されている（例えば、特許文献１参照。）。この従来技術のグロースタータは、放電容器の壁の一部（ステム）に一対の電極が設けられ、一方の電極にランタン層を形成するとともに、放電容器内の放電媒体のアルゴンおよびネオンの混合比を所定の範囲に設定することにより、放射性物質を含まずに、低い光レベルで長時間室内にあった後でも、寿命期間に亘りグロー放電の始動開始時間が非常に短くなるというものである。
【特許文献１】特表２００２−５３１９２９号公報（第６頁、第１図）
【発明の開示】
【発明が解決しようとする課題】
【０００３】
ステムが鉛を含まないガラスにより形成されると、一対の電極の接離に応じて発生するパルス電圧が低下することが知られている。すなわち、鉛を含まないガラスは、鉛を含むガラスよりも体積抵抗率が低くなることが知られており、一対の電極が接触状態から離れたときに発生するパルス電圧が低下する。この結果、放電ランプに印加するパルス電圧が例えば日本工業規格（ＪＩＳ  Ｃ  ７６０３）の規格値（９００Ｖ）未満に低下して、放電ランプが始動しにくくなるおそれがある。
【０００４】
本発明は、鉛を含まないガラスからなるステムを有してなり、パルス電圧の低下が抑制されて放電ランプを始動させることのできるグロースタータおよびこのグロースタータが配設された照明器具を提供することを目的とする。
【課題を解決するための手段】
【０００５】
請求項１に記載のグロースタータの発明は、放電容器と；この放電容器内に収納され少なくとも一方が熱応動性の可動電極であってグロー放電に伴う発生熱により変位して接離する一対の電極と；一対の電極にそれぞれ接続されているリード線と；鉛を含まないガラスからなり、一対のリード線を相互に少なくとも３．０ｍｍ離間させて封着して放電容器の一端部に封着されたステムと；放電容器内に封入された放電媒体と；を具備していることを特徴とする。
【０００６】
本発明および以下の各発明において、特に言及しない限り、各構成は以下による。
【０００７】
ステムに限らず、放電容器も鉛を含まないガラスから形成してもよい。これにより、グロースタータ全体が鉛を含まないようにすることができる。
【０００８】
「一対のリード線を相互に少なくとも３．０ｍｍ離間」とは、各リード線の外表面の間の最短距離が３．０ｍｍ以上であることを意味する。
【０００９】
一対の電極は、ステム内またはステム外のいずれでリード線に接続されていてもよい。一対の電極がステム内でリード線に接続されているとき、一対の電極は、少なくともステム内で３．０ｍｍ離間されているものである。
【００１０】
本発明によれば、ステムが鉛を含まないガラスから形成されていると、リード線間の最短距離が３．０ｍｍ未満では、パルス電圧が９００Ｖ未満となり放電ランプが始動しないときがあった。しかし、鉛を含まないガラスからなるステムであっても、リード線間の最短距離を３．０ｍｍ以上とすることにより、パルス電圧が放電ランプを始動させることのできる電圧値例えば日本工業規格（ＪＩＳ  Ｃ  ７６０３）の規定値（９００Ｖ）以上にできることが確認された。
【００１１】
このパルス電圧の低下の抑制作用がなぜ得られるのかは明らかでないが、ステム内での一対のリード線が互いに３．０ｍｍ以上離れることによって、リード線間のガラスの抵抗成分または静電容量が大きくなり、パルス電圧が発生する時にリード線間に流れる電流が小さくなって、パルス電圧の低下が抑制されるか、あるいは、パルス電圧が発生する前にリード線間に流れる電流が小さくなる分、パルス電圧の発生に必要な安定器の蓄積電流の減少が抑えられてキック電圧が大きくなることによって、パルス電圧の低下が抑制されるものと考えられる。
【００１２】
請求項２に記載のグロースタータの発明は、放電容器と；この放電容器内に収納され少なくとも一方が熱応動性の可動電極であってグロー放電に伴う発生熱により変位して接離する一対の電極と；一対の電極にそれぞれ接続されているリード線と；２５０℃における体積抵抗率が１×１０９．０Ωｃｍ未満の鉛を含まないガラスからなり、一対のリード線を相互に少なくとも３．０ｍｍ離間させて封着して放電容器の一端部に封着されたステムと；放電容器内に封入された放電媒体と；を具備していることを特徴とする。
【００１３】
本発明者の実験によれば、一対のリード線の離間距離が３．０ｍｍ未満のときにパルス電圧の低下現象が発生するのは、２５０℃における体積抵抗率が１×１０９．０Ωｃｍ未満の鉛を含まないガラスをステムに使用した場合であることが判った。そして、このような鉛を含まないガラスをステムに使用しても、一対のリード線が相互に少なくとも３．０ｍｍ離間されていると、パルス電圧が放電ランプを始動させることのできる電圧値例えば日本工業規格（ＪＩＳ  Ｃ  ７６０３）の規定値（９００Ｖ）以上になることが確認された。
【００１４】
請求項３に記載のグロースタータの発明は、請求項１または２記載のグロースタータにおいて、前記放電容器は、一端部が閉塞され、他端部に前記リード線に接続される給電端子を有する筒状の外囲器の内部に収納されていることを特徴とする。
【００１５】
給電端子は、Ｅ形の口金に形成されてもよく、Ｐ形の接続ピン（口金ピン）に形成されてもよい。
【００１６】
本発明によれば、放電容器は、外囲器の内部に収納されるので、外部からの衝撃から保護される。
【００１７】
請求項４に記載の照明器具の発明は、請求項３記載のグロースタータと；グロースタータが配設されている照明器具本体と；照明器具本体に着脱可能に配設されている蛍光ランプと；照明器具本体に配設され、グロースタータの一対の電極の接離に応じてインダクタンス成分によりキック電圧を発生させて蛍光ランプを始動させるとともに蛍光ランプに供給する電流を制限する安定器を有する点灯装置と；を具備していることを特徴とする。
【００１８】
本発明によれば、鉛を含まないガラスからなるステムを有して形成され、蛍光ランプを始動させることのできるグロースタータを具備した照明器具が提供される。
【発明の効果】
【００１９】
請求項１の発明によれば、鉛を含まないガラスからなるステムであっても、一対の電極にそれぞれ接続されているリード線を相互に少なくとも３．０ｍｍ離間させて封着することにより、一対の電極の接離に応じて発生するパルス電圧の低下を抑制することができて、放電ランプを通常に始動させることができるとともに、鉛を含まないグロースタータを提供することができる。
【００２０】
請求項２の発明によれば、２５０℃における体積抵抗率が１×１０９．０Ωｃｍ未満の鉛を含まないガラスであっても、一対の電極にそれぞれ接続されているリード線を相互に少なくとも３．０ｍｍ離間させて封着することにより、一対の電極の接離に応じて発生するパルス電圧の低下を抑制することができて、放電ランプを通常に始動させることができるとともに、従来のグロースタータと同一の大きさであって鉛を含まないグロースタータを提供することができる。
【００２１】
請求項３の発明によれば、放電容器は、外囲器の内部に収納されて外部からの衝撃から保護されるので、グロースタータを容易に取り扱うことができる。
【００２２】
請求項４の発明によれば、請求項３記載のグロースタータを具備するので、鉛を含まないガラスからなるステムを有して形成されたグロースタータを配設する照明器具を提供することができる。
【発明を実施するための最良の形態】
【００２３】
以下、本発明の一実施の形態について図面を参照して説明する。まず、本発明の第１の実施形態について説明する。
【００２４】
図１乃至図３は、本発明の第１の実施形態を示し、図１はグロースタータの一部切り欠き正面図、図２は電極マウントの正面図、図３はリード線間の距離に対するパルス電圧の変化を示す特性図である。
【００２５】
図１において、グロースタータ１は、透光性の放電容器２、一対の電極を構成する固定電極３および可動電極４、リード線５ａ，５ｂ、ステム６、さらに放電容器２内に封入された放電媒体を有してなるグロースタータ本体７と、このグロースタータ本体７を収納している外囲器８を具備してＰ形で構成されている。すなわち、グロースタータ１がＰ形の場合、外囲器８内に雑音防止用コンデンサ９を内蔵するとともに、口金１０はＰ２１形のピン口金となっている。
【００２６】
放電容器２は、鉛を含まないガラスからなり、ガラスバルブ２ａ、ステム部２ｂおよび排気チップオフ部２ｃを備え、内部に放電空間２ｄが形成されている。ガラスバルブ２ａは、図示しないが、予め一端に開口端、他端に相対的に細管の排気管が一体に形成されていたものである。ステム部２ｂは、後述するステムとしてのフレアステム６をガラスバルブ２ａの開口端に封着してガラスバルブ２ａと一体化されている。排気チップオフ部２ｃは、ガラスバルブ２ａの他端に形成された排気管をチップオフした際に形成されたものである。
【００２７】
固定電極３および可動電極４は、予め電極マウント１１として組み立てられ、これをガラスバルブ２ａの開口端(一端部)２ｅに封着することによって放電容器２内の所定の位置に気密に支持されている。すなわち、電極マウント１１は、フレアステム６、固定電極３、可動電極４およびリード線５ａ，５ｂを所定の位置関係に組み立てて構成されている。そして、フレアステム６のフレアの部分をガラスバルブ２ａの開口端(一端部)２ｅに封着することにより、放電容器２が形成されるとともに、固定電極３および可動電極４を放電容器２内に収納（封装）している。こうして、フレアステム６は、固定電極３および可動電極４を支持して放電容器２の一端部２ｅに封着されている。そして、フレアステム６は、放電容器２と同様、鉛を含まないガラス（無鉛ガラス）からなっている。この無鉛ガラスは、例えば表１に示すサンプル１のものが用いられている。サンプル１の無鉛ガラスは、２５０℃における体積抵抗率が１×１０８．６Ωｃｍとなっている。
【表１】
2006260911.tif 000003
【００２８】
固定電極３は、例えばニッケル（Ｎｉ）の棒状金属３ａからなり、基端がフレアステム６に封着され、リード線５ａに接続している。可動電極４は、棒状金属４ａおよびバイメタル１２からなっている。棒状金属４ａは、例えばニッケル（Ｎｉ）からなり、固定電極３の棒状金属３ａより長く、その基端がフレアステム６の固定電極３に離間対向する位置に封着され、リード線５ｂに接続されている。また、バイメタル１２は、略く字状に屈曲され、上側の端部１２ａが棒状金属４ａの上部に溶接され、冷却状態においては下側の端部１２ｂが棒状金属４ａに当接して係止している。可動電極４は、バイメタル１２により熱応動性の可動電極を構成している。そして、可動電極４は、固定電極３および可動電極４間のグロー放電に伴う発生熱により変位して固定電極３に接離する。
【００２９】
なお、固定電極３に対しても、可動電極４と同様にバイメタル１２を備え、一対の電極は、両方とも可動電極からなっていてもよい。すなわち、一対の電極は、少なくとも一方がバイメタル１２を備えていればよい。
【００３０】
リード線５ａ，５ｂは、例えば鉄（Ｆｅ）−ニッケル（Ｎｉ）線からなり、固定電極３の棒状金属３ａおよび可動電極４の棒状金属４ａに溶接によりそれぞれ接続されている。そして、それらの接続部１３，１３がステム部２ｂに位置して、棒状金属３ａ、棒状金属４ａおよびリード線５ａ，５ｂがフレアステム６に封着されている。ここで、フレアステム６は、棒状金属３ａおよび棒状金属４ａのそれぞれの外表面の間、さらにリード線５ａ，５ｂの外表面の間が３．０ｍｍ以上となるように、棒状金属３ａ、棒状金属４ａおよびリード線５ａ，５ｂを封着している。
【００３１】
そして、放電媒体には、アルゴンが用いられ放電容器２の内部に封入されている。このようにして、グロースタータ本体７が形成されている。
【００３２】
外囲器８は、ケース１４および絶縁基板１５により構成されている。ケース１４は、例えば酸化チタン微粒子を適量添加して適度の光拡散性にしたポリカーボネート樹脂を有底筒状に成形したものである。すなわち、ケース１４は、一端部（頭部）１４Ａが閉塞され、他端部１４Ｂに開口を有し、グロースタータ本体７（放電容器２）を収納している。そして、一端部（頭部）１４Ａの周縁に摘み用のローレット部１６が形成されている。なお、ケース１４は、アルミニウムなどの金属から形成されてもよい。
【００３３】
絶縁基板１５は、ケース１４の開口端に嵌合されて、接着材によりケース１４の内壁に固着されている。そして、この絶縁基板１５に、口金１０が配設されている。
【００３４】
口金１０は、絶縁基板１５に所定間隔でカシメ付けられた一対の給電端子としての一対の口金ピン１７，１７により構成されている。一対の口金ピン１７，１７は、ケース１４の外部へ突出した係止突部１７ａ，１７ａと、ケース１４の内部へ突出する接続部１７ｂ，１７ｂを一体的に備えている。そして、口金ピン１７，１７は、リード線５ａ，５ｂにより固定電極３および可動電極４とそれぞれ接続されている。
【００３５】
そして、雑音防止用コンデンサ９は、セラミックスコンデンサからなり、そのリード線１８，１８および一対の口金ピン１７，１７の接続部１７ｂ，１７ｂを介して固定電極３および可動電極４に対して並列接続されている。
【００３６】
このように、外囲器８は、内部にグロースタータ本体７（放電容器２）および雑音防止用コンデンサ９を収納していると共に、一対の口金ピン１７，１７を配設しているので、グロースタータ１の取り扱いを容易にしている。すなわち、グロースタータ１の照明器具への装着は、ケース１４のローレット部１６を掴むことにより行える。
【００３７】
次に、本発明の第１の実施形態の作用について述べる。
【００３８】
グロースタータ１の一対の口金ピン１７，１７間に所定の交流電圧（例えば１００Ｖ）が供給されると、この交流電圧は、リード線５ａ，５ｂを介して固定電極３および可動電極４の間に印加される。そして、固定電極３および可動電極４の間にグロー放電が発生する。
【００３９】
グロー放電が発生すると、グロー放電に伴う熱が発生する。この発生熱は、固定電極３の棒状金属３ａおよび可動電極４の棒状金属４ａと共に、バイメタル１２を熱する。バイメタル１２は、熱せられるにしたがい、棒状金属４ａに当接して係止している下側の端部１２ｂが棒状金属４ａから離れるようになる。すなわち、バイメタル１２は、熱せられるにしたがい変位して、略く字状の屈曲部が固定電極３に接触するようになる。また、前記発生熱により、フレアステム６のステム部２ｂは熱くなり、２００℃〜３００℃に温度上昇する。
【００４０】
バイメタル１２が固定電極３に接触すると、固定電極３および可動電極４は同電位となるので、固定電極３および可動電極４の間にグロー放電が発生しなくなり、グロー放電に伴う熱が発生しなくなる。すると、バイメタル１２は、自然冷却されるようになり、略く字状の屈曲部が固定電極３から離れて、当初の冷却状態に復帰していく。そして、バイメタル１２が固定電極３から離れたときに、安定器のインダクタンス成分によりパルス電圧としてのキック電圧が発生する。
【００４１】
図３は、固定電極３および可動電極４間の最短距離、または、リード線５ａ，５ｂ間の最短距離に対するパルス電圧の変化を示したものである。なお、図３において、前記最短距離は、図２に示すように、フレアステム６の上面６ａでの固定電極３および可動電極４間の沿面距離Ｌ１で表し、この沿面距離Ｌ１を実測したものである。グロースタータ１において、ステム２ｂ内での固定電極３および可動電極４、および、一対のリード線５ａ，５ｂは、それぞれ平行となっているので、沿面距離Ｌ１は、固定電極３および可動電極４、または、一対のリード線５ａ，５ｂのそれぞれの外表面の間の最短距離と同等となっている。
【００４２】
表１に示すサンプル１（体積抵抗率：１×１０８．６Ωｃｍ）により形成されたフレアステム６において、沿面距離Ｌ１が大きくなるにしたがい放電ランプに印加されるパルス電圧が大きくなることが確認された。これは、沿面距離Ｌ１が大きくなるにしたがい固定電極３および可動電極４間、または、リード線５ａ，５ｂ間の無鉛ガラスの抵抗成分または静電容量が大きくなることによって、パルス電圧が発生したときに、ステム部２ｂ内での固定電極３および可動電極４間に流れる電流、または、リード線５ａ，５ｂ間に流れる電流が小さくなり、この電流が小さくなるほど、固定電極３および可動電極４間に発生するパルス電圧の低下が抑制されていと考えられる。または、パルス電圧が発生する前にステム部２ｂ内での固定電極３および可動電極４間、または、リード線５ａ，５ｂ間に流れる電流が小さくなる分、パルス電圧の発生に必要な安定器の蓄積電流の減少が抑えられて、バイメタル１２が固定電極３から離れたときにキック電圧が大きくなり、パルス電圧の低下が抑制されるものと考えられる。
【００４３】
そして、沿面距離Ｌ１が３．０ｍｍのとき、日本工業規格（ＪＩＳ  Ｃ  ７６０３−２００４）の規格値（９００Ｖ）を超える９１０Ｖのパルス電圧が得られた。さらに、沿面距離Ｌ１が４．０ｍｍのときに１０８０Ｖ、５．０ｍｍのときに１３００Ｖのパルス電圧が得られた。すなわち、フレアステム６に封着している固定電極３および可動電極４、リード線５ａ，５ｂを相互に少なくとも３．０ｍｍ離間させることにより、蛍光ランプなどの放電ランプを始動させることのできるパルス電圧が発生するものである。
【００４４】
そして、パルス電圧は、蛍光ランプなどの放電ランプの電極間に印加され、放電ランプを始動させる。放電ランプが始動すると、固定電極３および可動電極４の間に所定の交流電圧（例えば１００Ｖ）が印加されなくなり、グロー放電が発生しなくなる。
【００４５】
上述したように、フレアステム６が表１に示すサンプル１の鉛を含まないガラス（体積抵抗率：１×１０８．６Ωｃｍ）により形成されていても、ステム部２ｂ内での固定電極３および可動電極４を少なくとも３．０ｍｍ離間させることにより、およびリード線５ａ，５ｂを少なくとも３．０ｍｍ離間させることにより、バイメタル１２が固定電極３から離れたときに固定電極３および可動電極４間に発生するパルス電圧の低下を抑制することができて、蛍光ランプなどの放電ランプを始動させることができる。
【００４６】
そして、サンプル１に代えて、表１に示すサンプル２の鉛を含まないガラス（体積抵抗率：１×１０８．９Ωｃｍ）を用いてフレアステム６を形成した場合においても、同様に沿面距離Ｌ１に対するパルス電圧を測定した。その結果、図３に示すように、サンプル１の場合に比べて電圧値が幾分低下するものの、沿面距離Ｌ１が３．０ｍｍで約９００Ｖ、４．０ｍｍで１０５０Ｖ、５．０ｍｍで１２７０Ｖのパルス電圧が得られた。すなわち、固定電極３および可動電極４を、およびリード線５ａ，５ｂをステム部２ｂ内で相互に少なくとも３．０ｍｍ離間させることにより、蛍光ランプなどの放電ランプを始動させることができる。
【００４７】
以上により、フレアステム６が２５０℃における体積抵抗率が１×１０９．０Ωｃｍ未満の鉛を含まないガラスから形成されていても、固定電極３および可動電極４と、リード線５ａ，５ｂとを少なくとも３．０ｍｍ離間させて封着してステム部２ｂを形成することにより、蛍光ランプなどの放電ランプを始動させることができる。このように構成されたグロースタータ１は、実際、蛍光ランプを始動させることができた。
【００４８】
そして、フレアステム６が鉛を含むガラスから形成されている従来のグロースタータは、ステム部２ｂにおいて、固定電極３および可動電極４、リード線５ａ，５ｂをそれぞれ１．５〜２．０ｍｍ離間させている。一方、フレアステム６が鉛を含まないガラスから形成されるグロースタータ１は、ステム部２ｂにおいて、固定電極３および可動電極４、リード線５ａ，５ｂをそれぞれ３．０〜５．０ｍｍ離間させて形成することができる。すなわち、フレアステム６に対して鉛を含むガラスから鉛を含まないガラスに変更しても、ステム部２ｂにおける固定電極３および可動電極４、リード線５ａ，５ｂのそれぞれの間隔を最大３．５ｍｍ大きくすればよいので、放電容器２および外囲器８を従来のグロースタータと同一の大きさに形成することができる。これにより、グロースタータ１は、従来のグロースタータと互換性を有するものである。
【００４９】
そして、グロースタータ１は、放電容器２およびステムとしてのフレアステム６が鉛を含まないガラスにより形成されているので、鉛による環境汚染を防止する。
【００５０】
次に、本発明の第２の実施形態について説明する。
【００５１】
図４は、本発明の第２の実施形態を示す照明器具の一部断面正面図である。なお、図１と同一部分には、同一符号を付して説明は省略する。
【００５２】
図４に示す照明器具１９は、蛍光ランプ２０，２１を搭載しているペンダントである。そして、グロースタータ１，１および蛍光ランプ２０，２１は、照明器具本体２２に着脱可能に配設されている。
【００５３】
照明器具本体２２は、シャーシ２３、セード２４、蛍光ランプ２０，２１、ランプホルダー２５，２５、常夜灯２６、点灯装置２７、切換スイッチ２８、ペンダントコード２９、コードホルダー３０および引掛けシーリングキャップ３１などを備えている。
【００５４】
シャーシ２３は、内部に、点灯装置２７、切換スイッチ２８を収納し、側面周縁にランプホルダー２５，２５を固定し、上面でセード２４を支持している。蛍光ランプ２０，２１は、ランプホルダー２５，２５を介してシャーシ２３に支持されている。常夜灯２６は、シャーシ２３の下面から露出している。
【００５５】
そして、ペンダントコード２９は、シャーシ２３の上面からコードホルダー３０を介して導出されている。コードホルダー３０は、ペンダントコード２９の長さを調節可能にしている。引掛けシーリングキャップ３１は、ペンダントコード２９の先端に接続していて、部屋の天井に設けられている引掛けシーリングボディに電気的に接続するとともに、機械的に支持されることによって、照明器具本体２２を天井から垂下する。
【００５６】
グロースタータ１，１は、シャーシ２３の内部に装着され、一端部（頭部）１４Ａをシャーシ２３から外部に露出している。そして、点灯装置２７は、図示しない安定器を備えている。この安定器は、グロースタータ１，１の固定電極３および可動電極４の接離に応じてインダクタンス成分によりパルス電圧としてのキック電圧（例えば、約１ＫＶ）を発生させ、蛍光ランプ２０，２１を個別に始動させるとともに、蛍光ランプ２０，２１に供給する電流を制限する。
【００５７】
グロースタータ１，１は、放電容器２およびステムとしてのフレアステム６が鉛を含まないガラスにより形成されている。したがって、照明器具１９は、鉛による環境汚染を防止する。
【図面の簡単な説明】
【００５８】
【図１】本発明の第１の実施形態を示すグロースタータの一部切り欠き正面図。
【図２】同じく、電極マウントの正面図。
【図３】同じく、リード線間の距離に対するパルス電圧の変化を示す特性図。
【図４】本発明の第２の実施形態を示す照明器具の一部断面正面図。
【符号の説明】
【００５９】
１…グロースタータ
２…放電容器
３…一対の電極を構成する固定電極
４…一対の電極を構成する可動電極
５ａ，５ｂ…リード線
６…ステムとしてのフレアステム
８…外囲器
１９…照明器具
２０，２１…蛍光ランプ
２２…照明器具本体
２７…点灯装置
【図１】
2006260911.tif 000004
【図２】
2006260911.tif 000005
【図３】
2006260911.tif 000006
【図４】
2006260911.tif 000007